(57)【要約】【課題】  無線チップ付用紙に印刷データを印字し無線チップに無線チップデータを書き込む場合に、印字された画像と無線チップの内容とに不整合が生じるのを防止することができる画像形成システム及び画像形成装置を提供する。【解決手段】  用紙３２上の無線チップ３２１へ書き込まれる無線チップデータが含まれた印刷データ１００から、前記無線チップデータを生成する無線チップデータ生成手段２、１８と、画像形成装置１とを備えている。画像形成装置１は、書き込み手段１５により、前記生成された無線チップデータを用紙の無線チップへ書き込み、印字手段２０により印刷データを用紙に印字する。【選択図】    図５
2006309614.tif 000002
【特許請求の範囲】
【請求項１】
用紙上の無線チップへ書き込まれる無線チップデータが含まれた印刷データから、前記無線チップデータを生成する無線チップデータ生成手段と、
前記生成された無線チップデータを、前記用紙の無線チップへ書き込む書き込み手段、及び前記印刷データを用紙に印字する印字手段を有する画像形成装置と、
を備えたことを特徴とする画像形成システム。
【請求項２】
前記無線チップデータ生成手段は画像形成装置に設けられ、
かつ、前記無線チップデータが含まれた印刷データを前記画像形成装置へ送信する送信手段を備えている請求項１に記載の画像形成システム。
【請求項３】
無線チップデータは印刷データの特定領域に存在し、前記無線チップデータ生成手段は、前記印刷データの特定領域を解析することにより、無線チップデータを生成する請求項１または２に記載の画像形成システム。
【請求項４】
前記無線チップデータ生成手段は、前記印刷データの特定領域の位置を示す情報に基づいて、前記特定領域を解析する請求項３に記載の画像形成システム。
【請求項５】
印刷データ及び無線チップデータはページ記述言語で記載され、前記無線チップデータ生成手段は、前記ページ記述言語を解析することにより、無線チップデータを生成する請求項１または２に記載の画像形成システム。
【請求項６】
印刷データに含まれる無線チップデータは用紙に印字されないものとなされている請求項１ないし５のいずれかに記載の画像形成システム。
【請求項７】
用紙上の無線チップへ書き込まれる無線チップデータが含まれた印刷データから、前記無線チップデータを生成する無線チップデータ生成手段と、
前記生成された無線チップデータを、前記用紙の無線チップへ書き込む書き込み手段と、
前記印刷データを用紙に印字する印字手段と、
を備えたことを特徴とする画像形成装置。
【請求項８】
無線チップデータは印刷データの特定領域に存在し、前記無線チップデータ生成手段は、前記印刷データの特定領域を解析することにより、無線チップデータを生成する請求項７に記載の画像形成装置。
【請求項９】
前記無線チップデータ生成手段は、前記印刷データの特定領域の位置を示す情報に基づいて、前記特定領域を解析する請求項８に記載の画像形成装置。
【請求項１０】
印刷データ及び無線チップデータはページ記述言語で記載され、前記無線チップデータ生成手段は、前記ページ記述言語を解析することにより、無線チップデータを生成する請求項７に記載の画像形成装置。
【請求項１１】
印刷データに含まれる無線チップデータは用紙に印字されないものとなされている請求項７ないし１０のいずれかに記載の画像形成装置。
【発明の詳細な説明】
【技術分野】
【０００１】
この発明は、無線チップを有する用紙への印刷データの印字と共に、前記無線チップへ無線チップデータを書き込み可能な画像形成システム、及び該システムに用いられる画像形成装置に関する。
【背景技術】
【０００２】
従来より、用紙上にＲＦＩＤ（Radio Frequency Identification）とも称される無線チップを設け、画像形成装置により用紙に印刷データを印字すると共に、前記無線チップに例えば印刷データに関連する無線チップデータを書き込むことができる画像形成システムが知られている（例えば特許文献１）。
【０００３】
このような画像形成システムにおいて、従来では、印刷データと無線チップデータとがそれぞれ分離独立して個別に作成され、オペレータが印刷データとこれに対応する無線チップデータとをそれぞれ画像形成装置に送信すると、画像形成装置は送信されてきた印刷データを用紙に印字し、無線チップデータを無線チップに書き込むものとなされていた。
【特許文献１】特開２００２−３３７４２６号公報
【発明の開示】
【発明が解決しようとする課題】
【０００４】
しかし、上記したような従来の画像形成システムでは、印刷データと無線チップデータとがそれぞれ分離独立して個別に作成されるため、オペレータの作業ミス等により、用紙に印字された画像と無線チップの内容とに不整合が生じる場合が、往々にしてあった。
【０００５】
特に、ラベル業界等においては、印字内容の一部を無線チップデータとして無線チップに書き込む場合が多く、この場合用紙への印字内容と無線チップの書き込み内容とは全く無関係となり、その対処方法が望まれていた。
【０００６】
この発明は、このような事情に鑑みてなされたものであって、無線チップ付用紙に印刷データを印字し無線チップに無線チップデータを書き込む場合に、印字された画像と無線チップの内容とに不整合が生じるのを防止することができる画像形成システム及び画像形成装置の提供を課題とする。
【課題を解決するための手段】
【０００７】
上記課題は、以下の手段によって解決される。
（１）用紙上の無線チップへ書き込まれる無線チップデータが含まれた印刷データから、前記無線チップデータを生成する無線チップデータ生成手段と、前記生成された無線チップデータを、前記用紙の無線チップへ書き込む書き込み手段、及び前記印刷データを用紙に印字する印字手段を有する画像形成装置と、を備えたことを特徴とする画像形成システム。
（２）前記無線チップデータ生成手段は画像形成装置に設けられ、かつ、前記無線チップデータが含まれた印刷データを前記画像形成装置へ送信する送信手段を備えている前項１に記載の画像形成システム。
（３）無線チップデータは印刷データの特定領域に存在し、前記無線チップデータ生成手段は、前記印刷データの特定領域を解析することにより、無線チップデータを生成する前項１または２に記載の画像形成システム。
（４）前記無線チップデータ生成手段は、前記印刷データの特定領域の位置を示す情報に基づいて、前記特定領域を解析する前項３に記載の画像形成システム。
（５）印刷データ及び無線チップデータはページ記述言語で記載され、前記無線チップデータ生成手段は、前記ページ記述言語を解析することにより、無線チップデータを生成する前項１または２に記載の画像形成システム。
（６）印刷データに含まれる無線チップデータは用紙に印字されないものとなされている前項１ないし５のいずれかに記載の画像形成システム。
（７）用紙上の無線チップへ書き込まれる無線チップデータが含まれた印刷データから、前記無線チップデータを生成する無線チップデータ生成手段と、前記生成された無線チップデータを、前記用紙の無線チップへ書き込む書き込み手段と、前記印刷データを用紙に印字する印字手段と、を備えたことを特徴とする画像形成装置。
（８）無線チップデータは印刷データの特定領域に存在し、前記無線チップデータ生成手段は、前記印刷データの特定領域を解析することにより、無線チップデータを生成する前項７に記載の画像形成装置。
（９）前記無線チップデータ生成手段は、前記印刷データの特定領域の位置を示す情報に基づいて、前記特定領域を解析する前項８に記載の画像形成装置。
（１０）印刷データ及び無線チップデータはページ記述言語で記載され、前記無線チップデータ生成手段は、前記ページ記述言語を解析することにより、無線チップデータを生成する前項７に記載の画像形成装置。
（１１）印刷データに含まれる無線チップデータは用紙に印字されないものとなされている前項７ないし１０のいずれかに記載の画像形成装置。
【発明の効果】
【０００８】
前項（１）に記載の発明によれば、無線チップデータは印刷データに含まれており、これを解析して無線チップデータが生成される。そして、生成された無線チップデータは、用紙の無線チップに書き込まれ、印刷データは用紙に印字される。
【０００９】
従って、印刷データと無線チップデータとを最初から別々に作成してこれらを組み合わせる従来のシステムに比べて、オペレータ等のミスにより、印字された画像と無線チップの書き込み内容との不整合が生じる危険性を格段に低減することができる。
【００１０】
前項（２）に記載の発明によれば、無線チップデータ生成手段は画像形成装置に設けられ、前記無線チップデータが含まれた印刷データを前記画像形成装置へ送信する送信手段を備えているから、画像形成装置により無線チップデータを生成することができる。
【００１１】
前項（３）に記載の発明によれば、無線チップデータ生成手段は、印刷データの特定領域を解析することにより、無線チップデータを生成することができる。
【００１２】
前項（４）に記載の発明によれば、無線チップデータ生成手段は、前記印刷データの特定領域の位置を示す情報に基づいて、特定領域を解析することができる。
【００１３】
前項（５）に記載の発明によれば、ページ記述言語を解析することにより、無線チップデータを生成することができる。
【００１４】
前項（６）に記載の発明によれば、印刷データに含まれる無線チップデータは用紙に印字されないから、無線チップデータが第三者に知られるのを防止することができる。
【００１５】
前項（７）に記載の発明によれば、無線チップデータは印刷データに含まれており、画像形成装置はこれを解析して無線チップデータを生成する。そして、生成された無線チップデータは、用紙の無線チップに書き込まれ、印刷データは用紙に印字される。従って、印刷データと無線チップデータとを最初から別々に作成してこれらを組み合わせる従来のシステムに比べて、オペレータ等のミスにより、印字された画像と無線チップの書き込み内容との不整合が生じる危険性を格段に低減することができる。
【００１６】
前項（８）に記載の発明によれば、印刷データの特定領域を解析することにより、無線チップデータを生成することができる画像形成装置となし得る。
【００１７】
前項（９）に記載の発明によれば、前記印刷データの特定領域の位置を示す情報に基づいて、特定領域を解析することができる画像形成装置となし得る。
【００１８】
前項（１０）に記載の発明によれば、ページ記述言語を解析することにより、無線チップデータを生成することができる画像形成装置となし得る。
【００１９】
前項（１１）に記載の発明によれば、印刷データに含まれる無線チップデータは用紙に印字されないから、無線チップデータが第三者に知られるのを防止することができる。
【発明を実施するための最良の形態】
【００２０】
以下、この発明の一実施形態を図面に基づいて説明する。
【００２１】
図１は、この発明の一実施形態に係る画像形成システムの構成図である。
【００２２】
この画像形成システムは、画像形成装置１とパーソナルコンピュータ等からなる１台または複数台のクライアント端末（単にクライアントともいう）２とデータベースサーバ３とが、ＬＡＮ等のネットワーク４を介して相互に接続されてなる。
【００２３】
前記データベースサーバ３には、画像形成装置１から出力される印刷データ及び無線チップデータが、印刷データに無線チップデータが含まれる態様で保存されている。
【００２４】
前記クライアント２は、データベースサーバ３の印刷データにアクセスすることが可能であり、かつその印刷データを画像形成装置１から出力させることができる。
【００２５】
図２は、前記画像形成装置１の構成を示す断面図である。
【００２６】
本実施形態に係る画像形成装置１は、本体内部に感光体ドラム２１を有する印字手段としての画像形成部２０、複数の給紙カセット３１ａ〜３１ｃを有する給紙部３０、用紙搬送経路４１を有する搬送部４０及び排紙トレー５１を有する排紙部５０を備えるとともに、少なくとも一つの給紙トレイ部３１ａには、無線チップ付きの用紙が収容されている。そして、給紙トレイ３１ａから給紙された無線チップ付きの用紙３２は、搬送部４０の搬送経路４１に沿って画像形成部２０へと送られ、画像形成部２０で印刷データを印字された後、排紙部５０へと搬送され、排紙トレイ５１へ排紙されるものとなされている。
【００２７】
さらに、この実施形態では、画像形成部２０の下流位置において、用紙搬送経路４１に近接して、無線チップデータを無線チップに書き込むための書き込み回路１５（図３に示す）を備えた書き込み部６０が配設されている。画像形成部２０の位置は限定されるものではない。
【００２８】
図３は、前記画像形成装置１の電気的構成を示すブロック図である。
【００２９】
画像形成装置１は、制御部１０とプリンタサーバ１８とを備えている。
【００３０】
前記プリンタサーバ１８は、ネットワーク４を介してクライアント２から送信されてきた印字データ及び無線チップデータを、制御部１０に送信するものである。
【００３１】
前記制御部１０は、ＣＰＵ１１と、ＣＰＵ１１に処理を実行させるためのソフトウェア（プログラム）等を記憶するメモリとしてのＲＯＭ１２と、ＣＰＵ１１がプログラムを実行する際の作業領域となるＲＡＭ１３と、不揮発性メモリ（ＥＥＰＲＯＭ）１４と、無線チップ書き込み回路１５と、プリンタコントローラ通信インターフェイス部（図面ではインターフェイス部をＩ／Ｆと記している）１６と、無線チップコントローラ通信インターフェイス部１７を備えている。
【００３２】
前記ＣＰＵ１１は、プリンタサーバ１８から送信されたプリントの指示コマンド、印刷データ（画像データ）等をプリンタコントローラ通信インターフェイス部１６で受信・解析し、解析された通信内容に従い、画像形成装置１の各部を統合的に動作させて、プリント処理及び用紙搬送処理等を実行する。また、それとは別に、プリンタサーバ１８から送信されてきた無線チップデータ等を無線チップコントローラ通信インターフェイス部１７で受信・解析し、解析された通信内容に従い、無線チップ書き込み回路１５を動作させて、用紙３２上の無線チップへ無線チップデータを書き込む。
【００３３】
図４は、本発明の第１の実施形態で使用される印刷データ１００を示すものである。
【００３４】
図４において、太枠で囲まれた領域が印刷領域１０１である。この印刷領域１０１に、破線で示す無線チップデータ生成領域１０２が組み込まれており、この無線チップデータ生成領域１０２内に記載されている内容が、無線チップデータとして扱われる。
【００３５】
なお、前記印刷領域１０１内に記載されている内容が用紙に印字される。この実施形態では、無線チップデータ生成領域１０２内の無線チップデータも印字されるが、無線チップデータ生成領域を示す枠は印字されない。
【００３６】
この実施形態では、前記印刷データ１００はデータベースサーバ３に格納されており、ユーザはクライアント２からデータベースサーバ３にアクセスして、所定の印刷データ１００を入手する。クライアント２は、入手した印刷データ１００を解析して、無線チップデータ生成領域１０２の内容から無線チップデータを抽出・生成したのち、ユーザの指示に基づいて、印刷データと無線チップデータを画像形成装置１へ送信する。
【００３７】
図５は、このようなクライアント２側の印刷データの解析及び送信処理と、画像形成装置１側のデータ受信処理を示すフローチャートである。
【００３８】
クライアント２は、データを送信する前に、ステップＳ１０１で、図４の印刷データ１００から無線チップデータ生成領域１０２内を解析し、認識した文字：「Name：abcdef  Code：00001」からASCIIコードで無線チップデータを生成する。さらに、印刷データに関して、無線チップデータ生成領域１０２の枠が存在しない状態にする。
【００３９】
次いで、ステップＳ１０２で、印刷データをネットワーク４経由で画像形成装置１へ送信した後、ステップＳ１０３で、無線チップデータを送信して処理を終了する。
【００４０】
一方、画像形成装置１のプリンタサーバ１８は、ステップＳ２０１で、印刷データを受信するのを待ち、受信すると（ステップＳ２０１でＹＥＳ）、ステップＳ２０２で、受信した印刷データをプリンタコントローラインターフェイス部１６へ送信する。
【００４１】
次いで、ステップＳ２０３で、無線チップデータを受信するのを待ち、受信すると（ステップＳ２０３でＹＥＳ）、ステップＳ２０４で、受信した無線チップデータを無線チップコントローラインターフェイス部１７へ送信する。
【００４２】
制御部１０のＣＰＵ１１は、送信されてきた印刷データを、画像形成部２０により用紙に印刷し、無線チップデータを書き込み回路１５により無線チップへ書き込む。
【００４３】
このように、無線チップデータは印刷データ１００とともに一体化され、印刷データ内に組み込まれており、これを解析して無線チップデータを生成するから、印刷データと無線チップデータとを最初から別々に作成してこれらを組み合わせる従来のシステムに比べて、オペレータ等のミスにより、印字された画像と無線チップの書き込み内容との不整合が生じる危険性を格段に低減することができる。
【００４４】
なお、この実施形態では、クライアント２が印刷データの解析を行ったが、クライアント２は印刷データを解析することなく画像形成装置１へ送信し、画像形成装置１側で印刷データの解析を行っても良い。この場合、クライアント２が画像形成装置１に対して印刷データを指定し、画像形成装置１がデータベースサーバ３にアクセスして印刷データを取り寄せるものとしても良い。
【００４５】
次に、第２の実施形態について説明する。
【００４６】
第２の実施形態における画像形成システムの構成、画像形成装置の本体構成、電気的構成、および使用される印刷データは、図１〜図４に示した第１の実施形態と同様である。
【００４７】
しかし、この実施形態では、クライアント２は無線チップデータの抽出・生成を行うことなく、図４に示す印刷データ１００（無線チップデータ生成領域枠なしの状態）とともに、図６に示す無線チップデータ生成領域１０２の位置を示す情報（原点位置、長さ、幅）を画像形成装置１に送信する。
【００４８】
画像形成装置１は、プリンタサーバ１８が、送信されてきた印刷データ１００と無線チップデータ生成領域１０２の位置情報とに基づいて、無線チップデータを抽出・生成する。
【００４９】
この処理を、図７のフローチャートに示す。
【００５０】
まず、クライアント２はステップＳ１１１で、印刷データ１００を画像形成装置１に送信したのち、ステップＳ１１２で、無線チップデータ生成領域１０２の位置情報を送信する。
【００５１】
一方、画像形成装置１のプリンタサーバ１８は、ステップＳ２１１で、印刷データ１００を受信するのを待ち、受信すると（ステップＳ２１１でＹＥＳ）、ステップＳ２１２で、無線チップデータ生成領域１０２の位置情報を受信するのを待つ。
【００５２】
次いで、ステップＳ２０３で、印刷データ１００と無線チップデータ生成領域１０２の位置情報とに基づいて印刷データを解析し、印刷データの文字コード（「Name：abcdef  Code：00001」）を抽出する。その抽出したコードから無線チップデータを生成した後、ステップＳ２１４で、印刷データをプリンタコントローラインターフェイス部１６へ送信し、さらにステップＳ２１５で、無線チップデータを無線チップコントローラインターフェイス部１７へ送信する。
【００５３】
制御部１０のＣＰＵ１１は、送信されてきた印刷データを、画像形成部２０により用紙に印刷し、無線チップデータを書き込み回路１５により無線チップへ書き込む。
【００５４】
この実施形態においても、無線チップデータは印刷データとともに一体化され、印刷データ内に組み込まれており、これを解析して無線チップデータを生成するから、印字された画像と無線チップの書き込み内容との不整合が生じる危険性を格段に低減することができる。
【００５５】
次に、この発明の第３の実施形態について説明する。
【００５６】
第３の実施形態における画像形成システムの構成、画像形成装置の本体構成、電気的構成、および使用される印刷データは、図１〜図４に示した第１の実施形態と同様である。
【００５７】
しかし、この実施形態では、クライアント２は無線チップデータの抽出・生成を行うことなく、図８に示す印刷データ１００（無線チップデータ生成領域枠なしの状態）を画像形成装置１に送信する。
【００５８】
画像形成装置１は、プリンタサーバ１８が、送信されてきた印刷データから無線チップデータを抽出・生成する。
【００５９】
図８に示す印刷データ１００はポストスクリプト（PostScript）形式で記載されたものである。なお、図８では、文字表示部以外の表記は省略している。
【００６０】
印刷データ１００をPostScript形式で受信した画像形成装置１のプリンタサーバ１８は、そのデータをラスタライズしてプリンタコントローラインターフェイス部１６へ送信することになるが、その前に、文字コードを解析する。その解析とは、以下のような内容である。
【００６１】
すなわち、表示される文字列は「ID Card」「Name：abcdef」「Code：00001」の３つである。ただし、「Name：abcdef」「Code：00001」の表記の前に$rfid（以下、ラベルと呼ぶ）が記述されている。プリンタサーバ１８は、前記ラベルを検出し、ラベルの付加された文字列を無線チップデータとして生成する。そして、生成された無線チップデータ「Name：abcdef Code：00001」を無縁チップコントローラ通信インターフェイス部１７へ送信する。
【００６２】
また、PostScript形式の印刷データ１００に関しては、図９のようにラベルを削除した後でラスタライズ処理し、プリンタコントローラ通信インターフェイス部１６へ送信する。これにより、印刷データが用紙へ印字され、無線チップデータが無線チップに書き込まれる。
【００６３】
以上の処理を図１０のフローチャートに示す。
【００６４】
まず、クライアントはステップＳ１２１で、印刷データ１００をPostScript形式に変更した後、ステップＳ１２２で、無線チップデータ生成領域にラベル$rfidを付加し、次いでステップＳ１２３で、印刷データ１００を画像形成装置１に送信する。
【００６５】
一方、画像形成装置１のプリンタサーバ１８は、ステップＳ２２１で、印刷データ１００を受信するのを待ち、受信すると（ステップＳ２２１でＹＥＳ）、ステップＳ２１２で、ラベル$rfidを認識して無線チップデータを抽出・生成したのち、ステップＳ２２３でラベルを除去する。
【００６６】
次いで、ステップＳ２２４で、印刷データをラスタライズ処理した後、ステップＳ２２５で、印刷データをプリンタコントローラインターフェイス部１６へ送信し、さらにステップＳ２２６で、無線チップデータを無線チップコントローラインターフェイス部１７へ送信する。
【００６７】
制御部１０のＣＰＵ１１は、送信されてきた印刷データを、画像形成部２０により用紙に印刷し、無線チップデータを書き込み回路１５により無線チップへ書き込む。
【００６８】
この実施形態においても、無線チップデータは印刷データとともにPostScript形式にて一体化され、印刷データ内に組み込まれており、これを解析して無線チップデータを生成するから、印字された画像と無線チップの書き込み内容との不整合が生じる危険性を格段に低減することができる。
【００６９】
次に、第４の実施形態について説明する。
【００７０】
この実施形態では、クライアントからPostScript形式の印刷データ１００が送信される点では前記第３の実施形態と同様であるが、前記印刷データを受信したプリンタサーバ１８は、プリンタコントローラ通信インターフェイス部１６に印刷データを送信する前のラスタライズ処理時に、PostScript形式の印刷データを、図１１のようにラベル$rfidだけでなく  ラベルの付加された文字列を一緒に削除する。こうして、無線チップデータの内容を不可視状態にして用紙に印字する。
【００７１】
次に、第５の実施形態について説明する。
【００７２】
この実施形態における画像形成システムの構成、画像形成装置１の本体構成、電気的構成および使用される印刷データは、図１〜図４に示した第１の実施形態と同様である。
【００７３】
この実施形態では、クライアント２は、印刷データから無線チップデータ生成領域１０２内を解析して、無線チップデータを生成するが、無線チップデータの生成後に、無線チップデータ生成領域１０２を印刷データの下地色で塗りつぶした状態に編集して、画像形成装置１へ印刷データを送信する。これにより、図１２に示すように、画像形成装置１は無線チップデータの内容を不可視状態にして用紙３２に印字させることができる。なお、図１２の３２１は無線チップである。
【００７４】
次に、第６の実施形態について説明する。
【００７５】
この実施形態における画像形成システムの構成、画像形成装置１の本体構成、電気的構成は、図１〜図３に示した第１の実施形態と同様である。
【００７６】
この実施形態では、印刷データ１００として図１３のデータを使用する。この印刷データ１００は、太枠で囲まれた印刷領域１０１に組み込まれた無線チップデータ生成領域１０２の無線チップデータがバーコードで示されている。そして、クライアント２は、バーコードを解読したコードを無線チップデータとし、画像形成装置１へ送信する。
【００７７】
なお、印刷データ１００の解析やバーコードの解析は、画像形成装置１側で行っても良い。この場合、第２の実施形態のように、無線チップデータ生成領域１０２の位置情報を画像形成装置１に送信し、画像形成装置１はこの位置情報を基に無線チップデータ生成領域１０２を特定して、バーコードを解析しても良い。
【００７８】
また、印刷データ１００の変形例として、図１４に示す印刷データを用いても良い。この例では、無線チップデータとして扱われる行の先頭に$rfidと記述して、それが無線チップデータであることを示すものとする。この場合、クライアント２或いは画像形成装置１は、$rfidと記述された行の文字列から無線チップデータを生成する。そして、$rfidと記述された文字は空白文字として用紙３２に印字する。
【００７９】
さらに、図１５に示す印刷データ１００を用いても良い。この例では、無線チップデータとして扱われる文字を太字設定で記述し、クライアント２或いは画像形成装置１は、太字で記述された文字から無線チップデータを生成する。
【００８０】
さらには、無線チップデータとして扱われる文字を太字設定で記述するのではなく、他の印刷データとは異なる色、例えば赤字で記述し、クライアント２或いは画像形成装置１は、この色で記述された文字から無線チップデータを生成する構成としても良い。
【００８１】
いずれの印刷データ１００を用いても、無線チップデータは印刷データとともに一体化され、印刷データ内に組み込まれているから、印字された画像と無線チップの書き込み内容との不整合が生じる危険性を格段に低減することができる。
【図面の簡単な説明】
【００８２】
【図１】この発明の一施形態に係る画像形成システムの構成図である。
【図２】この発明の一実施形態に係る画像形成装置の概略構成を示す断面図である。
【図３】図２の画像形成装置の電気的構成を示すブロック図である。
【図４】第１の実施形態に用いる印刷データの説明図である。
【図５】第１の実施形態におけるクライアント及び画像形成装置の処理を示すフローチャートである。
【図６】第２の実施形態における無線チップデータ生成領域の位置情報の説明図である。
【図７】第２の実施形態におけるクライアント及び画像形成装置の処理を示すフローチャートである。
【図８】第３の実施形態に用いる印刷データの説明図である。
【図９】図８の印刷データを処理した状態の説明図である。
【図１０】第３の実施形態におけるクライアント及び画像形成装置の処理を示すフローチャートである。
【図１１】第４の実施形態において、無線チップデータを削除した状態の印刷データの説明図である。
【図１２】第５の実施形態において、無線チップデータを不可視状態にして印刷データを印字する場合の説明図である。
【図１３】他の実施形態に用いる印刷データの説明図である。
【図１４】印刷データの変形例の説明図である。
【図１５】印刷データの他の変形例の説明図である。
【符号の説明】
【００８３】
１        画像形成装置
２        クライアント端末（送信手段、無線チップデータ生成手段）
３        データベースサーバ
４        ネットワーク
１１      ＣＰＵ
１５      無線チップ書き込み回路
１８      プリンタサーバ（送信手段、無線チップデータ生成手段）
２０      画像形成部（印字手段）
３２      用紙
６０      無線チップ書き込み部
１００    印刷データ
１０１    印刷領域
１０２    無線チップデータ生成領域
３２１    無線チップ
【図１】
2006309614.tif 000003
【図２】
2006309614.tif 000004
【図３】
2006309614.tif 000005
【図４】
2006309614.tif 000006
【図５】
2006309614.tif 000007
【図６】
2006309614.tif 000008
【図７】
2006309614.tif 000009
【図８】
2006309614.tif 000010
【図９】
2006309614.tif 000011
【図１０】
2006309614.tif 000012
【図１１】
2006309614.tif 000013
【図１２】
2006309614.tif 000014
【図１３】
2006309614.tif 000015
【図１４】
2006309614.tif 000016
【図１５】
2006309614.tif 000017